(57)【要約】      （修正有）【課題】読取画像の表示サイズを拡大する場合に、処理に要する時間を増大させることなく、画質の劣化を抑制することができるデジタル複合機を提供する。【解決手段】原稿の光学読み取りにより、読取画像を生成する画像読取部と、読取画像のピクセル数を減少させ、参照用画像データを生成する画像縮小処理部２４と、参照用画像データに基づいてピクセル数が異なる複数の表示用画像データのいずれかを選択的に生成する表示画像生成部２６と、表示用画像データを画面表示する操作表示部により構成される。画像縮小処理部２４は、表示用画像データの最大ピクセル数以上の参照用画像データを生成し、表示画像生成部２６は、表示サイズの変更がユーザにより指示された場合に、参照画像記憶部２５に保持されている参照用画像データに基づいて表示中の表示用画像データよりもピクセル数の大きな表示用画像データを生成する。【選択図】図３
2008277963.tif 000002
【特許請求の範囲】
【請求項１】
読取画像の表示サイズが変更可能なデジタル複合機において、
原稿の光学読み取りにより、読取画像を生成する画像読取手段と、
上記読取画像のピクセル数を減少させ、参照用画像データを生成する画像縮小手段と、
上記参照用画像データを保持する参照画像記憶手段と、
上記参照画像記憶手段に保持されている参照用画像データに基づいて、ピクセル数が互いに異なる２以上の表示用画像データのいずれかを選択的に生成する表示画像生成手段と、
上記表示画像生成手段により生成された表示用画像データを表示画面上に表示する表示手段とを備え、
上記画像縮小手段は、上記表示画像生成手段により生成される表示用画像データの最大ピクセル数以上の参照用画像データを生成し、
上記表示画像生成手段は、表示中の表示用画像データよりもピクセル数の大きな表示用画像データへの表示サイズの変更がユーザにより指示された場合に、上記参照画像記憶手段に保持されている参照用画像データに基づいて、上記ピクセル数の大きな表示用画像データを生成することを特徴とするデジタル複合機。
【請求項２】
上記画像縮小手段は、上記表示画像生成手段により生成される表示用画像データのうちのピクセル数が最大の表示用画像データを上記参照用画像データとして生成することを特徴とする請求項１に記載のデジタル複合機。
【請求項３】
上記表示画像生成手段は、上記表示用画像データの表示中に表示サイズの縮小が指示された場合に、表示中の表示用画像データよりもピクセル数の小さな表示用画像データを上記参照画像記憶手段に保持されている参照用画像データに基づいて生成することを特徴とする請求項１又は２に記載のデジタル複合機。
【請求項４】
上記表示画像生成手段は、異なる原稿から読み取られた２以上の参照用画像データが互いに関連付けて上記参照画像記憶手段に保持されている場合に、これらの参照用画像データにそれぞれ対応する複数の表示用画像データを生成することを特徴とする請求項１又は２に記載のデジタル複合機。
【請求項５】
上記画像縮小手段が、上記表示画面よりもピクセル数の大きな画像データを上記参照用画像データとして生成することを特徴とする請求項１又は２に記載のデジタル複合機。
【発明の詳細な説明】
【技術分野】
【０００１】
本発明は、デジタル複合機に係り、さらに詳しくは、読取画像の表示サイズが変更可能なデジタル複合機の改良に関する。
【背景技術】
【０００２】
スキャナで原稿から読み取った画像データをファクシミリ送信し、或いは、プリントアウトする際に、画像データをプレビュー表示可能なデジタル複合機が従来から知られている。通常、スキャナで読み取られた画像データは、プレビュー表示に用いられる表示画面に比べて、ピクセル数が大きく、ＪＰＥＧ（Joint Photographic Experts Group）などの所定の画像圧縮方式で圧縮して保持される。従って、プレビュー時には、その様な圧縮データを伸張し、さらに、伸張後の画像データを表示画面のピクセル数に合わせて縮小する必要があった。このため、所望の画像データが表示されるまでに長い時間を要してしまうという問題があった。
【０００３】
さらに、同一画面上で画像を見比べながら送信対象又は印刷対象を選択させるという観点から、複数の読取画像を表示画面上に表示することが考えられるが、複数の読取画像を表示画面上に表示するために、読取画像を縮小すると、画像の違いが見分けづらくなってしまうという問題があった。そこで、複数の読取画像を表示画面上に表示するために読取画像を縮小した場合であっても、必要に応じて画像を拡大できるようにすることが考えられる。しかしながら、表示サイズが縮小された画像データを補間処理によって拡大すると、画質が劣化してしまうという問題があった。また、縮小画像を拡大表示させる場合に、伸張後の画像データを再度縮小することによって拡大画像を得ることが考えられるが、圧縮データを伸張した画像データはピクセル数が大きいので、縮小処理に長い時間を要してしまうという問題があった。
【０００４】
なお、特許文献１には、データサイズの大きな画像の表示に要する時間を短縮する技術が開示されている。この特許文献１に記載の携帯情報端末では、画像データファイルに含まれている主画像のサイズ及びサムネイル画像のサイズを表示領域のサイズと比較し、その比較結果に基づいて主画像又はサムネイル画像のいずれかを選択して表示する制御が行われる。特許文献１に記載の携帯情報端末は、画像データファイルに主画像及びサムネイル画像が含まれている場合に、表示領域のサイズに応じて適切な画像を選択して表示するものであり、プレビュー時に圧縮データの表示に要する時間を短縮するものではない。また、特許文献２には、画像を拡大又は縮小して表示する際に、画質が劣化し、或いは、表示に要する時間を短縮する技術が開示されている。この特許文献２に記載の携帯情報端末では、原画像データ及びサムネイル画像データを圧縮データとして保持し、サムネイル画像のサイズと表示サイズとを比較し、その比較結果に基づいて原画像又はサムネイル画像のいずれかを選択して縮小する処理が行われる。特許文献２に記載の携帯情報端末は、原画像データ及びサムネイル画像データを圧縮データとして保持している場合に、表示サイズに応じて適切な画像データを選択して表示するものであって、プレビュー時に圧縮データの表示に要する時間を短縮するものではない。
【特許文献１】特開２００３−１５０１４５号公報
【特許文献２】特開２００４−２３５８０４号公報
【発明の開示】
【発明が解決しようとする課題】
【０００５】
上述した通り、従来のデジタル複合機では、表示サイズが縮小された画像データを補間処理によって拡大すると、画質が劣化してしまうという問題があった。また、読取画像の表示サイズを拡大する場合に、伸張後の画像データを再度縮小することによって拡大画像を得ようとすると、圧縮データを伸張した画像データはピクセル数が大きいので、縮小処理に長い時間を要してしまうという問題があった。
【０００６】
本発明は、上記事情に鑑みてなされたものであり、読取画像の表示サイズを拡大する場合に、処理に要する時間を増大させることなく、画質の劣化を抑制することができるデジタル複合機を提供することを目的としている。また、読取画像の表示サイズを変更する場合に、画質を劣化させることなく、処理に要する時間を短縮することができるデジタル複合機を提供することを目的としている。
【課題を解決するための手段】
【０００７】
第１の本発明によるデジタル複合機は、読取画像の表示サイズが変更可能なデジタル複合機であって、原稿の光学読み取りにより、読取画像を生成する画像読取手段と、上記読取画像のピクセル数を減少させ、参照用画像データを生成する画像縮小手段と、上記参照用画像データを保持する参照画像記憶手段と、上記参照画像記憶手段に保持されている参照用画像データに基づいて、ピクセル数が互いに異なる２以上の表示用画像データのいずれかを選択的に生成する表示画像生成手段と、上記表示画像生成手段により生成された表示用画像データを表示画面上に表示する表示手段とを備え、上記画像縮小手段が、上記表示画像生成手段により生成される表示用画像データの最大ピクセル数以上の参照用画像データを生成し、上記表示画像生成手段が、表示中の表示用画像データよりもピクセル数の大きな表示用画像データへの表示サイズの変更がユーザにより指示された場合に、上記参照画像記憶手段に保持されている参照用画像データに基づいて、上記ピクセル数の大きな表示用画像データを生成するように構成される。
【０００８】
このデジタル複合機では、読取画像のピクセル数を減少させて参照用画像データが生成され、参照画像記憶手段に保持される。そして、この参照用画像データに基づいて、ピクセル数が互いに異なる複数の表示用画像データのいずれかが選択的に生成され、表示画面上に表示される。その際、表示用画像データの最大ピクセル数以上の参照用画像データが生成され、表示サイズの変更がユーザにより指示された場合には、参照画像記憶手段に保持されている参照用画像データに基づいて、表示中の表示用画像データよりもピクセル数の大きな表示用画像データが生成される。
【０００９】
つまり、表示用画像データの最大ピクセル数以上の参照用画像データが生成され、表示サイズの変更がユーザにより指示された場合には、参照画像記憶手段に保持されているその様な参照用画像データに基づいてピクセル数の大きな表示用画像データが作成される。この様な構成により、表示中の表示用画像データよりもピクセル数の大きな表示用画像データに表示サイズを変更する場合に、画像データを拡大することなく、ピクセル数の大きな画像データを作成することができるので、表示サイズが縮小された画像データを補間処理によって拡大するのに比べて、画質の劣化を抑制することができる。さらに、ピクセル数の大きな表示用画像データが、参照画像記憶手段に保持されている参照用画像データに基づいて作成されるので、読取画像を縮小するのに比べて、処理に要する時間を短縮することができる。
【００１０】
第２の本発明によるデジタル複合機は、上記構成に加え、上記画像縮小手段が、上記表示画像生成手段により生成される表示用画像データのうちのピクセル数が最大の表示用画像データを上記参照用画像データとして生成するように構成される。この様な構成によれば、表示画像生成手段により生成される表示用画像データのうちのピクセル数が最大の表示用画像データが参照用画像データとして生成されるので、表示中の表示用画像データに代えてピクセル数が最大の表示用画像データを表示させる場合に、参照用画像データを縮小する処理を省くことができる。
【００１１】
第３の本発明によるデジタル複合機は、上記構成に加え、上記表示画像生成手段が、上記表示用画像データの表示中に表示サイズの縮小が指示された場合に、表示中の表示用画像データよりもピクセル数の小さな表示用画像データを上記参照画像記憶手段に保持されている参照用画像データに基づいて生成するように構成される。この様な構成によれば、表示中の表示用画像データよりもピクセル数の小さな表示用画像データに表示サイズを縮小する場合に、参照画像記憶手段に保持されている参照用画像データに基づいてピクセル数の小さな画像データが作成されるので、読取画像を縮小するのに比べて、処理に要する時間を短縮することができる。
【００１２】
第４の本発明によるデジタル複合機は、上記構成に加え、上記表示画像生成手段が、異なる原稿から読み取られ互いに関連付けられた２以上の参照用画像データが上記参照画像記憶手段に保持されている場合に、これらの参照用画像データにそれぞれ対応する複数の表示用画像データを生成するように構成される。この様な構成によれば、互いに関連付けられた複数の参照用画像データが保持されている場合には、これらの参照用画像データにそれぞれ対応する複数の表示用画像データが生成されるので、互いに関連付けられた参照用画像データが複数存在する場合に、これらの画像データを表示画面上に同時に表示させることができる。
【００１３】
第５の本発明によるデジタル複合機は、上記構成に加え、上記画像縮小手段が、上記表示画面よりもピクセル数の大きな画像データを上記参照用画像データとして生成するように構成される。この様な構成によれば、表示画面よりもピクセル数の大きな画像データが参照用画像データとして生成されるので、表示画面よりもピクセル数の大きな画像データを表示させる場合であっても、参照用画像データの縮小処理によって表示用画像データを得ることができ、画質の劣化を抑制することができる。
【発明の効果】
【００１４】
本発明によるデジタル複合機によれば、表示中の表示用画像データよりもピクセル数の大きな表示用画像データに表示サイズを変更する場合に、画像データを拡大することなく、ピクセル数の大きな画像データを作成することができるので、表示サイズが縮小された画像データを補間処理によって拡大するのに比べて、画質の劣化を抑制することができる。さらに、ピクセル数の大きな表示用画像データが、参照画像記憶手段に保持されている参照用画像データに基づいて作成されるので、読取画像を縮小するのに比べて、処理に要する時間を短縮することができる。従って、読取画像の表示サイズを拡大する場合に、処理に要する時間を増大させることなく、画質の劣化を抑制することができる。
【００１５】
また、表示中の表示用画像データよりもピクセル数の小さな表示用画像データに表示サイズを縮小する場合に、参照画像記憶手段に保持されている参照用画像データに基づいてピクセル数の小さな画像データが作成されるので、読取画像を縮小するのに比べて、処理に要する時間を短縮することができる。従って、読取画像の表示サイズを変更する場合に、画質を劣化させることなく、処理に要する時間を短縮することができる。
【発明を実施するための最良の形態】
【００１６】
図１は、本発明の実施の形態によるデジタル複合機の一例を示した斜視図であり、読取画像の表示サイズが変更可能なデジタル複合機１の外観が示されている。このデジタル複合機１は、スキャナ機能及びプリンタ機能を有するファクシミリ装置であり、装置筐体に設けられた操作パネル１１上に、複数の入力キー１２及び操作表示部１３が配置されている。
【００１７】
各入力キー１２は、電話番号などを入力するための操作入力手段であり、例えば、テンキー、スタートキーからなる。操作表示部１３は、操作情報や画像データを表示するための表示装置と、表示画面上に配置されるタッチパネルからなる。表示装置は、例えば、矩形形状の表示画面を有するＬＣＤ（Liquid Crystal Display：液晶ディスプレイ）からなる。
【００１８】
図２は、図１のデジタル複合機１の概略構成の一例を示したブロック図である。このデジタル複合機１は、画像読取部２、印刷部３、通信部４、制御部５、メモリ６及び操作表示部１３により構成される。画像読取部２は、原稿の光学読み取りにより、読取画像を生成する光学式読取手段であり、ピクセルデータからなる画像データが読取画像として生成される。例えば、原稿に光を照射し、その照射光を走査させることにより、原稿から読取画像が読み取られる。
【００１９】
ここでは、ＲＧＢの色成分ごとの強度データからなるピクセルデータが生成され、このピクセルデータをＲＧＢから輝度成分（Ｙ）及び色差成分（Ｃｂ及びＣｒ）からなるＹＣｂＣｒに変換して画像データとして出力されるものとする。
【００２０】
制御部５は、画像読取部２からの画像データをＪＰＥＧなどの所定の画像圧縮方式で圧縮し、その圧縮データをメモリ６内に格納する動作を行っている。メモリ６は、制御プログラムなどが格納されているＲＯＭ（Read Only Memory）、圧縮データを保持するＲＡＭ（Random Access Memory）からなる。
【００２１】
印刷部３は、制御部５からの画像データに基づいて画像を用紙に印刷する画像の出力装置である。制御部５では、必要に応じて圧縮データを伸張し、伸張後の画像データを印刷部３へ出力する動作が行われる。
【００２２】
通信部４は、電話回線を介して画像データを送受信する動作を行っている。制御部５では、メモリ６から読み出した圧縮データを送信データとして通信部４へ出力し、通信部４からの受信データをメモリ６内に格納する動作が行われる。操作表示部１３は、矩形形状の表示画面を有するＬＣＤ１３ａと、タッチパネル１３ｂからなるユーザインターフェースである。
【００２３】
ＬＣＤ１３ａの表示画面上には、画像読取部２により生成された画像データや、通信部４が受信した画像データがユーザ操作に基づいて表示される。タッチパネル１３ｂは、ユーザ操作を検知し、操作位置に応じた所定の操作入力データを生成する操作入力手段である。
【００２４】
制御部５では、タッチパネル１３ｂからの操作入力データに基づいてメモリ６から圧縮データを読み出して伸張し、伸張後の画像データをよりピクセル数の小さな画像データに縮小してＬＣＤ１３ａへ出力する動作が行われる。例えば、原稿から画像データを読み取った際や、画像データを受信した際に、画像データが表示される。また、画像データを印刷する際や、画像データを送信する際に、画像データがプレビュー表示される。
【００２５】
図３は、図２のデジタル複合機１の要部における構成例を示したブロック図であり、制御部５内の機能構成の一例が示されている。この制御部５は、ＪＰＥＧ処理部２１、画像縮小処理部２４、参照画像記憶部２５及び表示画像生成部２６により構成される。ＪＰＥＧ処理部２１は、画像データをＪＰＥＧ方式で圧縮及び伸張する画像処理手段であり、データ圧縮部２２及びデータ伸張部２３からなる。
【００２６】
画像データは、データ圧縮部２２により圧縮データに変換され、すなわち、エンコードされ、メモリ６内に格納される。画像データの圧縮処理は、ピクセル間の統計演算などによってデータ量を減少させる処理である。メモリ６内の圧縮データは、データ伸張部２３により伸張され、すなわち、デコードされ、伸張後の画像データが画像縮小処理部２４へ出力される。ここでは、プレビュー表示のためのユーザ操作に基づいて、圧縮データの伸張処理が行われるものとする。
【００２７】
画像縮小処理部２４は、データ伸張部２３からの画像データをよりピクセル数の小さな画像データに変換し、参照用画像データを生成する処理を行っている。ここでは、画像データのピクセル数を減少させる画像縮小処理として、フレーム内のピクセルデータを単純に間引く間引き処理、或いは、隣接画素のピクセルデータについて平均値を求めて間引くフィルタ処理などが行われるものとする。
【００２８】
また、画像縮小処理部２４は、ＬＣＤ１３ａの表示画面よりもピクセル数の大きな画像データを参照用画像データとして生成するものとする。画像縮小処理部２４により生成された参照用画像データは、参照画像記憶部２５内に格納される。参照画像記憶部２５には、この様な参照用画像データが予め保持されているものとする。
【００２９】
表示画像生成部２６は、サイズ切替部３１、縮小処理部３２及び色変換部３３からなり、必要に応じて参照用画像データをよりピクセル数の小さな画像データに変換し、表示用画像データを生成する動作を行っている。具体的には、参照画像記憶部２５に保持されている参照用画像データに基づいて、ピクセル数が互いに異なる複数の表示用画像データのいずれかが選択的に生成される。
【００３０】
表示画像生成部２６により生成された表示用画像データは、操作表示部１３のＬＣＤ１３ａへ出力され、表示画面上に表示される。
【００３１】
画像縮小処理部２４に生成させる参照用画像データは、そのピクセル数について、表示画像生成部２６により生成される表示用画像データの最大ピクセル数以上であれば、特に限定するものではないが、ここでは、表示画像生成部２６により生成される表示用画像データの最大ピクセル数とピクセル数が同一である画像データが参照用画像データとして生成されるものとする。すなわち、表示画像生成部２６により生成される表示用画像データのうちのピクセル数が最大の表示用画像データが参照用画像データとして生成される。
【００３２】
表示画像生成部２６では、表示中の表示用画像データよりもピクセル数の大きな表示用画像データへの表示サイズの変更がユーザにより指示された場合に、参照画像記憶部２５に保持されている参照用画像データに基づいて、ピクセル数の大きな表示用画像データが生成される。
【００３３】
サイズ切替部３１は、ユーザ操作に基づいて、画像データの表示サイズを変更する動作を行っている。具体的には、タッチパネル１３ｂからの操作入力データに基づいて、参照画像記憶部２５内の参照用画像データを読み出し、読み出した参照用画像データを色変換部３３へ出力し、或いは、縮小処理部３２へ出力する動作が行われる。
【００３４】
縮小処理部３２は、サイズ切替部３１からの参照用画像データをよりピクセル数の小さな画像データに変換し、変換後の画像データを色変換部３３へ出力する処理を行っている。縮小処理部３２では、例えば、ピクセル数が互いに異なる２つの画像データのいずれか１つが選択的に生成される。
【００３５】
色変換部３３は、サイズ切替部３１及び縮小処理部３２からの画像データについて、ピクセルデータにおけるＹＣｂＣｒ成分をＲＧＢ成分に変換し、表示用画像データを生成する動作を行っている。
【００３６】
表示画像生成部２６では、参照用画像データと、参照用画像データを縮小した画像データであって、ピクセル数が互いに異なる２つの画像データとのいずれか１つが選択的に色変換部３３に入力され、表示用画像データが生成される。ここでは、縮小処理部３２により生成される２つの画像データを、ピクセル数の大きい方から順に第１縮小データ及び第２縮小データと呼ぶことにする。
【００３７】
例えば、第２画像データの表示中に表示サイズの拡大が指示された場合、表示中の画像データよりもピクセル数の大きな第１画像データ又は参照用画像データから得られる画像が表示される。また、第１画像データの表示中に表示サイズの拡大が指示された場合には、参照用画像データから得られる画像が表示される。一方、第１画像データの表示中に表示サイズの縮小が指示された場合には、表示中の画像データよりもピクセル数の小さな第２画像データから得られる画像が表示される。
【００３８】
図４（ａ）〜（ｃ）は、図２のデジタル複合機１における動作の一例を示した図であり、伸張後の画像データを縮小して得られる表示用画像データが示されている。図４（ａ）には、参照画像記憶部２５に保持されている参照用画像データから得られる参照画像Ａ１が示され、図４（ｂ）には、よりピクセル数の小さな第１縮小データから得られる第１画像Ａ２が示され、図４（ｃ）には、さらにピクセル数の小さな第２縮小データから得られる第２画像Ａ３が示されている。
【００３９】
参照画像Ａ１、第１画像Ａ２及び第２画像Ａ３は、いずれもピクセルデータからなる画像フレームにより構成され、フレーム内のピクセル数が互いに異なっている。プレビュー時には、これらの画像Ａ１〜Ａ３のうちのいずれかがユーザ操作に基づいて選択され、表示される。
【００４０】
ここでは、参照画像Ａ１、第１画像Ａ２及び第２画像Ａ３が、いずれも縦長の画像からなり、各画像における縦横比は、これらの３つの画像Ａ１〜Ａ３について同一となっているものとする。
【００４１】
図５は、図２のデジタル複合機１における動作の一例を示した図であり、画像データの送信時に表示される送信予約画面４１が示されている。この送信予約画面４１は、画像読取部２により生成された画像データを送信する際に、ＬＣＤ１３ａ上に表示される画面表示である。
【００４２】
送信予約画面４１には、送信予約として、予め登録されている登録情報が表示される。例えば、送信予約時刻及び送信先がジョブ番号、すなわち、登録情報の識別番号と共に表示される。この例では、ジョブ番号１〜３の３つの登録情報が表示されている。
【００４３】
各登録情報には、選択ボタン４２が配置され、選択ボタン４２を操作すると、当該選択ボタン４２に関連付けられている登録情報が選択され、登録情報として登録されている画像データを含む登録情報の詳細が表示される。
【００４４】
図６は、図２のデジタル複合機１における動作の一例を示した図であり、画像データの送信時に表示される予約ジョブ確認画面４３が示されている。この予約ジョブ確認画面４３は、送信予約画面４１上で選択ボタン４２を操作した場合に表示される画面表示であり、登録情報の詳細が表示される。
【００４５】
予約ジョブ確認画面４３には、第２縮小データから得られる第２画像Ａ３１〜Ａ３３、クローズボタン４４ａ、削除ボタン４４ｂ、拡大ボタン４５、スクロールボタン４６ａ及び４６ｂが配置されている。ここでは、異なる原稿から読み取られた複数の参照用画像データが互いに関連付けて保持されている場合に、これらの参照用画像データにそれぞれ対応する複数の表示用画像データが生成され、同一画面上に表示されるものとする。この例では、３以上の参照用画像データが保持され、表示用画像データから得られる３つの第２画像Ａ３１〜Ａ３３がページ番号と共にそれぞれ所定の表示領域内に表示されている。
【００４６】
クローズボタン４４ａは、この予約ジョブ確認画面４３を閉じて元の送信予約画面４１に復帰するためのアイコンである。削除ボタン４４ｂは、選択中の登録情報を削除するためのアイコンである。
【００４７】
拡大ボタン４５は、画像を拡大して表示させるためのアイコンであり、第２画像Ａ３１〜Ａ３３の各表示領域に隣接して配置されている。拡大ボタン４５を操作すると、当該拡大ボタン４５に関連付けられている第２画像が選択され、表示サイズが拡大される。つまり、第２画像Ａ３１〜Ａ３３のうちの１つを指定したユーザ操作に基づいて、ユーザにより指定された第２画像に対応する第１縮小データから得られる第１画像が表示される。
【００４８】
スクロールボタン４６ａ及び４６ｂは、互いに関連付けられている参照用画像データが４以上存在する場合に、表示対象とする画像をフレーム単位で変更するためのアイコンである。スクロールボタン４６ａは、先頭ページ側へスクロールさせるスクロールボタンであり、スクロールボタン４６ｂは、末尾ページ側へスクロールさせるスクロールボタンである。
【００４９】
図７は、図２のデジタル複合機１における動作の一例を示した図であり、拡大ボタン４５の操作時に表示される予約ジョブ確認画面５１が示されている。この予約ジョブ確認画面５１は、予約ジョブ確認画面４３上で拡大ボタン４５を操作した場合に表示される画面表示であり、第１縮小データからなる第１画像Ａ２２が表示されている。
【００５０】
予約ジョブ確認画面５１には、第１画像Ａ２２、クローズボタン５２、拡大ボタン５３ａ、縮小ボタン５３ｂ及びスクロールボタン５４が配置されている。
【００５１】
第１画像Ａ２２は、所定の表示領域内に表示される。ここでは、画像フレームから切り出された第１縮小データの一部分が第１画像Ａ２２として表示され、上下左右のスクロールボタン５４の操作によって、表示位置が変更されるものとする。
【００５２】
クローズボタン５２は、この予約ジョブ確認画面５１を閉じて送信予約画面４１に復帰するためのアイコンである。拡大ボタン５３ａは、表示サイズを拡大するためのアイコンである。拡大ボタン５３ａを操作すると、参照用画像データから得られる参照画像が表示される。この参照画像は、所定の表示領域内に表示される。ここでも、画像フレームから切り出された参照用画像データの一部分が表示され、上下左右のスクロールボタンの操作によって、表示位置が変更される。
【００５３】
縮小ボタン５３ｂは、表示サイズを縮小するためのアイコンである。縮小ボタン５３ｂを操作すると、予約ジョブ確認画面４３に復帰し、第１画像が表示される。
【００５４】
本実施の形態によれば、表示中の表示用画像データよりもピクセル数の大きな表示用画像データに表示サイズを変更する場合に、画像データを拡大することなく、ピクセル数の大きな画像データを作成することができるので、表示サイズが縮小された画像データを補間処理によって拡大するのに比べて、画質の劣化を抑制することができる。さらに、ピクセル数の大きな表示用画像データが、参照画像記憶部２５に保持されている参照用画像データに基づいて作成されるので、読取画像を縮小するのに比べて、処理に要する時間を短縮することができる。
【００５５】
また、表示画像生成部２６により生成される表示用画像データのうちのピクセル数が最大の表示用画像データが参照用画像データとして生成されるので、表示中の表示用画像データに代えてピクセル数が最大の表示用画像データを表示させる場合に、参照用画像データを縮小する処理を省くことができる。さらに、表示中の表示用画像データよりもピクセル数の小さな表示用画像データに表示サイズを縮小する場合に、参照画像記憶部２５に保持されている参照用画像データに基づいてピクセル数の小さな画像データが作成されるので、読取画像を縮小するのに比べて、処理に要する時間を短縮することができる。
【００５６】
また、互いに関連付けられた複数の参照用画像データが保持されている場合には、これらの参照用画像データにそれぞれ対応する複数の表示用画像データが生成されるので、互いに関連付けられた参照用画像データが複数存在する場合に、これらの画像データを表示画面上に同時に表示させることができる。さらに、ＬＣＤ１３ａの表示画面よりもピクセル数の大きな画像データが参照用画像データとして生成されるので、表示画面よりもピクセル数の大きな画像データを表示させる場合であっても、参照用画像データの縮小処理によって表示用画像データを得ることができ、画質の劣化を抑制することができる。
【図面の簡単な説明】
【００５７】
【図１】本発明の実施の形態によるデジタル複合機１の一例を示した斜視図であり、読取画像の表示サイズが変更可能なデジタル複合機１の外観が示されている。
【図２】図１のデジタル複合機１の概略構成の一例を示したブロック図である。
【図３】図２のデジタル複合機１の要部における構成例を示したブロック図であり、制御部５内の機能構成の一例が示されている。
【図４】図２のデジタル複合機１における動作の一例を示した図であり、伸張後の画像データを縮小して得られる表示用画像データが示されている。
【図５】図２のデジタル複合機１における動作の一例を示した図であり、画像データの送信時に表示される送信予約画面４１が示されている。
【図６】図２のデジタル複合機１における動作の一例を示した図であり、画像データの送信時に表示される予約ジョブ確認画面４３が示されている。
【図７】図２のデジタル複合機１における動作の一例を示した図であり、拡大ボタン４５の操作時に表示される予約ジョブ確認画面５１が示されている。
【符号の説明】
【００５８】
１  デジタル複合機
２  画像読取部
３  印刷部
４  通信部
５  制御部
６  メモリ
１１  操作パネル
１２  入力キー
１３  操作表示部
１３ａ  ＬＣＤ
１３ｂ  タッチパネル
２１  ＪＰＥＧ処理部
２２  データ圧縮部
２３  データ伸張部
２４  画像縮小処理部
２５  参照画像記憶部
２６  表示画像生成部
３１  サイズ切替部
３２  縮小処理部
３３  色変換部
【図１】
2008277963.tif 000003
【図２】
2008277963.tif 000004
【図３】
2008277963.tif 000005
【図４】
2008277963.tif 000006
【図５】
2008277963.tif 000007
【図６】
2008277963.tif 000008
【図７】
2008277963.tif 000009